(57)【特許請求の範囲】
【請求項１】
中空管状のケースによって構成され、その先端にノズルが出没するノズル孔が形成され、後端にカートリッジが挿入される挿入孔が形成されている軸と；
前記挿入孔から前記軸の内部に挿入され、前記軸の長さ方向に沿って前後に移動するカートリッジと；
前記カートリッジのタンク部内で前後に移動することなく回転可能なように、その端部が前記タンク部の突条と係合し、先端側開放されている管状のスクリューレバーと；
前記スクリューレバー内に収容され、先端には、前記カートリッジの内径に対応する外径であり、前記カートリッジの内部に収容される内容物移動部が形成され、後端は、前記スクリューレバーの内側面と係合する形状のピストンと；
前記カートリッジと前記軸の間に設けられ、前記スクリューレバーと一体的に移動する前記カートリッジの前後移動に従って、前記ノズル孔を気密に開閉する乾燥防止部とを備えることを特徴とする容器。
【請求項２】
前記軸は、その側面に形成されている楕円形回転レバー孔の側方に、前記軸の長さ方向に沿って並べて配置される第１固定孔と第２固定孔を有し、
前記カートリッジは、前記タンク部の側面から突出し、前記第１固定孔と第２固定孔とに拘束及び離脱する係止突起、及び、前記係止突起の側方に前記軸の回転レバー孔と略同一の形状の回転レバー孔を有することを特徴とする請求項１に記載の容器。
【請求項３】
前記係止突起は、前記第１固定孔と前記第２固定孔とに拘束及び離脱が容易となるように、前記カートリッジの側面に形成された弾性を有する自由端によって構成されることを特徴とする請求項２に記載の容器。
【請求項４】
前記軸は、前記第１固定孔に拘束された前記係止突起を前記第１固定孔から容易に離脱するように、前記第１固定孔の位置に延伸する自由端に形成されているリターンスイッチをさらに有し、
前記リターンスイッチは、手で押された場合、前記軸の内部に曲がり、前記第１固定孔に拘束されている係止突起がカートリッジの内部に曲がるように押し込むことによって、前記係止突起を前記第１固定孔から離脱させることを特徴とする請求項３に記載の容器。
【請求項５】
前記リターンスイッチは、その押し込みが容易になるように、外側表面に突出するプッシュ部を有することを特徴とする請求項４に記載のゲル容器。
【請求項６】
前記カートリッジは、前記係止突起の対向側に、自由端を有するガイド突起を有し、
前記軸は、前記ガイド突起が挿入されることによって、前記ガイド突起を拘束するガイド孔を、前記ガイド突起に対応する位置に有し、
これによって、前記カートリッジを軸方向に沿って前後に直線的に移動するようにガイドすることを特徴とする請求項２に記載の容器。
【請求項７】
前記カートリッジは、前記ガイド突起の自由端が内部に曲がるための空間を形成するテンション溝を、その内面に有することを特徴とする請求項６に記載の容器。
【請求項８】
前記カートリッジは、
その後端に前記スクリューレバーを収容し、先端に内容物を収容する大径のタンク部と；
前記タンク部より小径で、後端側に内容物移動部を収容し、先端側に内容物を収容する連結部と；
前記連結部より小径で、その先端が前記ノズルと結合されるノズル延長軸部とを有することを特徴とする請求項１に記載の容器。
【請求項９】
前記ピストンは、その前方への移動によって、カートリッジ内部に残った内容物を押し出すように、前記内容物移動部との接触部に、前記カートリッジの内壁に密着するＯリングを有することを特徴とする請求項１に記載の容器。
【請求項１０】
前記スクリューレバーの後端側には、前記ピストンの移動によって形成される空間に空気が出入りするための通気孔が形成されていることを特徴とする請求項１に記載の容器。
【請求項１１】
前記連結部の内壁に軸方向に形成されている溝は、十字形の前記内容物移動部の突条部と噛み合い、前記スクリューレバーの内壁面に形成されているネジ山は、前記ピストンに形成されているネジ山と噛み合うことによって、前記スクリューレバーの回転によって、前記ピストンが直線的に移動することを特徴とする請求項８に記載の容器。
【請求項１２】
前記連結部の内壁に形成されているネジ山は、前記内容物移動部に形成されているネジ山と噛み合い、前記スクリューレバーの内壁面に長さ方向に形成されているリブは、前記ピストンの長さ方向に形成されているリブと噛み合うことによって、前記スクリューレバーの回転によって、前記ピストンが回転しながら前後に移動することを特徴とする請求項８に記載の容器。
【発明の詳細な説明】
【技術分野】
【０００１】
本発明は自動密閉構造を持ち、流動体を収容する容器に関し、より詳しくはピストン機構によってカートリッジから押し出される液状のゲルが、吐出口に設けられたシャッターが開いている時にだけ吐出されるようにする密閉構造を有する容器に関する。
【背景技術】
【０００２】
化粧品容器は、内容物の揮発及び変質を防止し、その保存性を高めるために、外部との遮断及び内容物の密閉性が重要である。
【０００３】
これに関連し、化粧品を吐出するノズル出没式容器は、別にふたを開閉する不便さなしに使うことができる利点があるが、ノズルが出没するノズル孔が容器の片方の端部に穿設されているから、非揮発性物質のみに適用可能な欠点がある。
【０００４】
一方、揮発性の高い液状化粧品などは、ふたを開閉させる不便さだけでなく、ノズルが空気中に開放された状態で長期間放置される場合、ゲルなどがノズルにこびりくつことになって、容器の寿命を短縮させるか、容器を毀損させる可能性があり、その有効成分が変質して、内容物である化粧品の性能を低下させることになる。
【０００５】
よって、多くの出願人が液状や半液状で揮発性や非揮発性の化粧品に適用できる容器において、化粧品の乾燥を防止するとともにノズルを保護することができる特別な技術に関する多くの研究を行っている。
【０００６】
この一例として、特許文献１に記載の乾燥防止用キャップを備えた化粧道具は、乾燥防止用キャップをケースの開口部に備え、非使用時にはキャップがケースの開口部を密閉し、使用時には片手でケースの上端に備えられたプッシュボタンを押して、キャップを回転させながらブラシなどの塗布手段をケースの外部に突出させることで、片手ですべての動作ができるようにする化粧道具である。
【先行技術文献】
【特許文献】
【０００７】
【特許文献１】韓国実用新案第２０−２００９−０００１６１０号公報
【発明の概要】
【発明が解決しようとする課題】
【０００８】
前述した先行技術では、ブラシなどを保護するためのケースであるので、液状の化粧品を密閉するように収容して、ノズルを出没させて使うのには限界がある。
【０００９】
本発明は前記の問題点を解決するためになされたもので、その目的は、乾燥防止部によってノズルが非接触式で出没しながらも気密維持機能を果たすことができ、別に蓋を設けなくてもノズルにおける液状成分の乾燥を防止することができるとともに、ノズルを物理的に安全に保護することができ、使用が簡便な密閉構造を有する容器を提供することである。
【００１０】
また、本発明の他の目的は、カートリッジのピストン機構によって液状成分が押し出されて、定量で吐出されるようにする密閉構造を有する容器を提供することである。
【課題を解決するための手段】
【００１１】
前記のような本発明の目的は、中空管状のケースによって構成され、その先端にノズルが出没するノズル孔が形成され、後端にカートリッジが挿入される挿入孔が形成されている軸と；前記挿入孔から前記軸の内部に挿入され、前記軸の長さ方向に沿って前後に移動するカートリッジと；前記カートリッジのタンク部内で前後に移動することなく回転可能なように、その端部が前記タンク部の突条と係合し、先端側開放されている管状のスクリューレバーと；前記スクリューレバー内に収容され、先端には、前記カートリッジの内径に対応する外径であり、前記カートリッジの内部に収容される内容物移動部が形成され、後端は、前記スクリューレバーの内側面と係合する形状のピストンと；前記カートリッジと前記軸の間に設けられ、前記スクリューレバーと一体的に移動する前記カートリッジの前後移動に従って、前記ノズル孔を気密に開閉する乾燥防止部とを備えることを特徴とする容器によって達成される。
【００１２】
また、本発明によれば、前記軸は、その側面に形成されている楕円形回転レバー孔の側方に、前記軸の長さ方向に沿って並べて配置される第１固定孔と第２固定孔を有し、前記カートリッジは、前記タンク部の側面から突出し、前記第１固定孔と第２固定孔とに拘束及び離脱する係止突起、及び、前記係止突起の側方に前記軸の回転レバー孔と略同一の形状の回転レバー孔を有することを特徴とする。
【００１３】
また、本発明によれば、前記係止突起は、前記第１固定孔と前記第２固定孔とに拘束及び離脱が容易となるように、前記カートリッジの側面に形成された弾性を有する自由端によって構成されることを特徴とする。
【００１４】
また、本発明によれば、前記軸は、前記第１固定孔に拘束された前記係止突起を前記第１固定孔から容易に離脱するように、前記第１固定孔の位置に延伸する自由端に形成されているリターンスイッチをさらに有し、前記リターンスイッチは、手で押された場合、前記軸の内部に曲がり、前記第１固定孔に拘束されている係止突起がカートリッジの内部に曲がるように押し込むことによって、前記係止突起を前記第１固定孔から離脱させることを特徴とする。
【００１５】
また、本発明によれば、前記リターンスイッチは、その押し込みが容易になるように、外側表面に突出するプッシュ部を有することを特徴とする。
【００１６】
また、本発明によれば、前記カートリッジは、前記係止突起の対向側に、自由端を有するガイド突起を有し、前記軸は、前記ガイド突起が挿入されることによって、前記ガイド突起を拘束するガイド孔を、前記ガイド突起に対応する位置に有し、これによって、前記カートリッジを軸方向に沿って前後に直線的に移動するようにガイドすることを特徴とする  また、本発明によれば、前記カートリッジは、前記ガイド突起の自由端が内部に曲がるための空間を形成するテンション溝を、その内面に有することを特徴とする。
【００１７】
また、本発明によれば、前記カートリッジは、その後端に前記スクリューレバーを収容し、先端に内容物を収容する大径のタンク部と；前記タンク部より小径で、後端側に内容物移動部を収容し、先端側に内容物を収容する連結部と；前記連結部より小径で、その先端が前記ノズルと結合されるノズル延長軸部とを有することを特徴とする。
【００１８】
また、本発明によれば、前記ピストンは、その前方への移動によって、カートリッジ内部に残った内容物を押し出すように、前記内容物移動部との接触部に、前記カートリッジの内壁に密着するＯリングを有することを特徴とする。
【００１９】
また、本発明によれば、前記スクリューレバーの後端側には、前記ピストンの移動によって形成される空間に空気が出入りするための通気孔が形成されていることを特徴とする。
【００２０】
また、本発明によれば、前記連結部の内壁に軸方向に形成されている溝は、十字形の前記内容物移動部の突条部と噛み合い、前記スクリューレバーの内壁面に形成されているネジ山は、前記ピストンに形成されているネジ山と噛み合うことによって、前記スクリューレバーの回転によって、前記ピストンが直線的に移動することを特徴とする。
【００２１】
また、本発明によれば、前記連結部の内壁に形成されているネジ山は、前記内容物移動部に形成されているネジ山と噛み合い、前記スクリューレバーの内壁面に長さ方向に形成されているリブは、前記ピストンの長さ方向に形成されているリブと噛み合うことによって、前記スクリューレバーの回転によって、前記ピストンが回転しながら前後に移動することを特徴とする。
【発明の効果】
【００２２】
本発明の自動密閉構造を持つワンタッチ式ゲル容器は、乾燥防止部によって化粧品の外部への露出をできるだけ防止することで、化粧品の保存力を高めて、揮発を少なくすることができる。
【００２３】
また、別に蓋などを使わなくても、ノズルにおける液状成分の乾燥を防止することができるとともに、ノズルを物理的に安全に保護することができ、使用が簡便である。
【００２４】
さらに、カートリッジのピストン装置によって液状成分が押し出されて定量で吐き出されるようにすることで、使用者が所望の量のみ使うことができるので、化粧品を節約することができる。
【図面の簡単な説明】
【００２５】
【図１】先行技術による乾燥防止用キャップを備えた化粧道具の斜視図である。
【図２】本発明の自動密閉構造を持つワンタッチ式ゲル容器の全体分解斜視図である。
【図３】図２に示す軸の斜視図である。
【図４】図２に示すカートリッジの斜視図である。
【図５】図２に示すスクリューレバーの断面図である。
【図６】本発明の自動密閉構造を持つワンタッチ式ゲル容器の閉状態を示す右側面図である。
【図７】本発明の自動密閉構造を持つワンタッチ式ゲル容器の閉状態を示す横断面図である。
【図８】本発明の自動密閉構造を持つワンタッチ式ゲル容器の閉状態を示す底面図である。
【図９】本発明の自動密閉構造を持つワンタッチ式ゲル容器の閉状態を示す縦断面図である。
【図１０】本発明の自動密閉構造を持つワンタッチ式ゲル容器の開放状態を示す右側面図である。
【図１１】本発明の自動密閉構造を持つワンタッチ式ゲル容器の開放状態を示す横断面図である。
【図１２】本発明の自動密閉構造を持つワンタッチ式ゲル容器の開放状態を示す底面図である。
【図１３】本発明の自動密閉構造を持つワンタッチ式ゲル容器の開放状態を示す縦断面図である。
【発明を実施するための形態】
【００２６】
以下、本発明の実施例による自動密閉構造を持つワンタッチ式ゲル容器について添付図面に基づいてより詳細に説明する。
【００２７】
図２は本発明の自動密閉構造を持つワンタッチ式ゲル容器の全体分解斜視図、図３は図２に示すボディー部の斜視図である。
【００２８】
また、図４は図２に示すカートリッジ部分の斜視図、図５は図２に示すスクリューレバーの断面図である。
【００２９】
また、図６〜図９は本発明の自動密閉構造を持つワンタッチ式ゲル容器の閉状態を示す側面図、断面図及び底面図、図１０〜図１３は本発明の自動密閉構造を持つワンタッチ式ゲル容器の開状態を示す側面図、断面図及び底面図である。
【００３０】
図２に示すように、本発明の自動密閉構造を持つワンタッチ式ゲル容器は、軸１００、カートリッジ２００、スクリューレバー３００、ピストン４００、ノズル５００、及び吐出口の開閉のための乾燥防止部で構成される。
【００３１】
乾燥防止部は、スプリング５０、Ｏリング６０、ホルダー７０、リンク８０、ボール型ドア９０及びこれらの間に介在されるパッキングで構成され、これは本出願人によって出願され大韓民国において登録された大韓民国特許登録第１０−０８１７２０２号に記載された乾燥防止部を備えた出没式筆記具において軸のノズル孔を気密に開閉するための装置と同様の構成を有し、その詳細な構成及びメカニズムの説明は省略する。
【００３２】
以下、乾燥防止部は、軸１００の方向に挿入されたカートリッジ２００と、このカートリッジ２００を弾性力によって元の位置に復元させるように結合されたスプリング５０と、軸１００の内部に装着されて気密状態を維持しつつスライド可能に結合されたＯリング６０と、このＯリング６０の内側に軸方向に一側端部を挿入させて、軸１００の内部に装着されるホルダー７０と、このホルダー７０の内部にスライド可能に結合されたリンク８０と、このリンク８０の平行ピン８２がピンスリット９２に結合され、リンク８０のスライド直線往復移動に対応して有限な大きさの所定の回転角だけ回転するように、軸１００の内部に装着されたボール型ドア９０とから構成され開閉機構である。
【００３３】
すなわち、本発明の乾燥防止部によって、使用者は本発明の軸１００を片手で掴んだ後、親指などで容器上端のプッシュ部にあたるスクリューレバーを押すとき、スクリューレバー及びカートリッジに連動するボール型ドア９０が開放方向に＋９０度だけ回転しながら貫通通路をノズルの軸方向に一致させるように回転するとともに軸１００のノズル孔１１を開放させる。
【００３４】
その後、ノズルは５００、ボール型ドア９０の貫通通路を通してノズル孔１１の外部に突出することにより使用可能な状態になる。
【００３５】
これと反対に、使用者がリターンスイッチを押したとき、カートリッジがリターンスイッチによって軸から抜け出し、内装スプリング５０の弾性反発力によってボール型ドア９０は閉方向に−９０度だけ回転しながら貫通通路をノズルの軸方向に垂直に回転するとともに、軸１００のノズル孔１１を閉じ、突出したノズルが元の位置、つまり軸１００の内部に没入する。
【００３６】
この際、ノズルの突出方向を前進方向とし、その反対の没入方向を後進方向とする。
【００３７】
また、軸１００のノズル孔方向を前方とし、その反対方向を後方とする。
【００３８】
図２及び図３に示すように、軸１００は一つの一体ケースであり、中空の管状の形状を持つ。
【００３９】
軸１００は、プラスチック素材から射出成型されるかモールド成型で製作可能であり、軸１００はプラスチック素材の一般的な特性、つまり弾性、可撓性、伸縮性のいずれか一つ以上を持つ。
【００４０】
軸１００は、円錐状をした一端にノズル孔１１が形成されており、下記の構成要素を挿入できる内径を持つ挿入孔１２が他端に形成されている。
【００４１】
軸１００は、挿入孔１２が形成された他端側の両側面に一対の長円形の回転レバー孔１０１が形成されている。
【００４２】
回転レバー孔１０１は、後述するカートリッジ２００及びスクリューレバー３００が軸１００の内部に挿入された状態で、これらのカートリッジ２００及びスクリューレバー３００が露出するように開口形態を持ち、特にスクリューレバー３００は軸１００の内部に拘束された状態で回転レバー孔１０１から溝が形成された側面を露出させて回転可能である。
【００４３】
回転レバー孔１０１の間の軸１００の一側面には、リターンスイッチ１０２と第１固定孔１０３と第２固定孔１０４とが形成され、回転レバー孔１０１の間の軸１００の他側面の第１固定孔１０３と対向する位置にはガイド孔１０５が形成されている。
【００４４】
第１固定孔１０３と第２固定孔１０４は、後述するカートリッジの係止突起２０１がカートリッジの前進及び後進によって、いずれか一方に拘束されるように形成された孔である。
【００４５】
すなわち、第２固定孔１０４はカートリッジが後進した状態で係止突起２０１が係合するように軸１００の他側端に形成され、第１固定孔１０３はカートリッジが前進した状態で係止突起が係合するように第２固定孔１０４と同一直線上で第２固定孔１０４の前方に形成されている。
【００４６】
リターンスイッチ１０２は、その自由端が第１固定孔１０３の前方から伸びるように側面に形成されている。
【００４７】
したがって、リターンスイッチ１０２は、軸１００の側面を基準として内外に弾性的に曲げることができる。特に、リターンスイッチ１０２を押すことによって、リターンスイッチ１０２が軸１００の内部に曲がるようにして、第１固定孔１０３に拘束されている、自由端が形成された係止突起２００を離脱させる役割を果たす。
【００４８】
したがって、リターンスイッチ１０２は、押し込みがより容易になるように、リターンスイッチ１０２上に突出するプッシュ部が形成されることが好ましい。
【００４９】
リターンスイッチ１０２及び固定孔１０３、１０４と対向する軸１００の側面には、ガイド孔１０５が形成されている。
【００５０】
ガイド孔１０５は、後述するカートリッジのガイド突起２０２を拘束し、前進及び後進の移動をガイドするための孔である。
【００５１】
このために、ガイド孔１０５は、軸１００の長さ方向に沿った直線的に、軸１００の側面に垂直に形成されている貫通孔である。
【００５２】
図２及び図４に示すように、カートリッジ２００は、カートリッジ孔２４２とノズル５００の間で直径が段差をなして小さくなるように、最大直径のタンク部２４３、このタンク部２４３と比べて小径の連結部２４４、及びこの連結部２４４と比べて小径のノズル延長軸部２４５が一体型に構成されている。
【００５３】
また、ノズル延長軸部２４５の外表面とノズル５００の内表面にはそれぞれ複数のネジ山が形成されており、これらネジ山が噛み合ってカートリッジ２００とノズル５００とを堅く結合させ、両者をより確実に密閉する。
【００５４】
カートリッジ２００は、軸１００のカートリッジ挿入孔１２を通して結合された後、前述したような出没メカニズムによって、使用者がノズルを軸１００のノズル孔１１に対して突出または没入させるように軸心方向に沿って有限な所定のストローク範囲内で往復移動させることができ、ストロークの両端で、カートリッジ２００を一時的に停止することができる。
【００５５】
このために、カートリッジ２００には係止突起２０１とガイド突起２０２が側面に形成されている。
【００５６】
係止突起２０１は、カートリッジ２００が前進及び後進の直線的な移動しながら、軸１００の第１固定孔１０３と第２固定孔１０４に係合するように、タンク部２４３の外表面に自由端の突起が形成されている。
【００５７】
すなわち、係止突起２０１も、リターンスイッチ１０２と同様に、タンク部２４３の側面の内外に柔軟に弾性的に曲がることができ、特に第１固定孔１０３に拘束された状態でリターンスイッチ１０２が係止突起２０１を押せば、係止突起２０１がタンク部２４３の内側に曲がって第１固定孔１０３から離脱する。
【００５８】
また、ガイド突起２０２は係止突起２０１と対向するカートリッジ２００の側面に自由端の突起が形成されており、ガイド孔１０５に拘束されてカートリッジ２００が前進及び後進の直線的な移動をする。
【００５９】
タンク部２４３も、軸１００の回転レバー孔１０１と同様に、一対の回転レバー孔２０３が形成されている。
【００６０】
回転レバー孔２０３は、軸１００の回転レバー孔１０１と略同一形状を持ち、略同一位置に形成されているので、カートリッジ２００が軸１００の内部で前進することによって、回転レバー孔１０１、２０３が互いに一致して重なる。
【００６１】
また、タンク部２４３は、その内側面のガイド突起２０２及び係止突起２０１の位置にタンク部２４３の長さ方向に沿ってテンション溝２０４が形成されているので、タンク部２４３の内部にスクリューレバー３００が収容されても、ガイド突起２０２と係止突起２０１のような自由端が充分に柔軟に内側に曲がる空間を提供する。
【００６２】
また、カートリッジ２００はその内部にゲル状の内容物が充填されており、ピストン４００によって内容物が連結部２４４を通じてノズル５００まで移動する。
【００６３】
より具体的には、カートリッジ２００のタンク２４３部は、タンク部２４３の回転レバー孔の先端からノズル延長軸部２４５の先端まで内容物が充填されるように、タンク部２４３の回転レバー孔１０１の先端において円周方向に形成されている突条部２０７とスクリューレバー３００の突条部３０７が水密を保持しながら噛み合っている。
【００６４】
連結部２４４は、その内壁が軸の長さ方向に沿って溝が形成されており、これは後述する内容物移動部４０９の突条部と噛み合うことにより、内容物移動部４０９とこれと一体的に連結されているピストン４００がスクリューレバー３００と一緒に回転せずに直線的に移動するようにしている。
【００６５】
以下、ピストン４００がスクリューレバー３００と螺合するとともに、連結部２４４との溝と内容物移動部４０９の突条部との結合によって、直線移動だけ行う場合を実施例として説明しているが、これに限定されず、スクリューレバー３００のリブとの結合及び連結部２４４のネジ山との螺合によって直線的に回転移動も可能である。
【００６６】
すなわち、ピストン４００の直線に移動しつつ回転するために、ピストン４００にリブが形成され、これに対応するようにスクリューレバー３００の内壁面にもリブが形成され、これらのリブ同士が噛み合うようにし、内容物移動部４０９にネジ山が形成され、これに対応するように連結部２４４の内壁面にもネジ山が形成され、これらのネジ山が噛み合うようにすることで、スクリューレバー３００を回転させることによってピストンが回転しつつ、ネジ山によって前進することになる。
【００６７】
図２及び図５に示すように、スクリューレバー３００は、カートリッジ２００のタンク部２４３の内側に収容されるように、一側が開放した管状であり、ピストン４００が挿入されるピストン挿入部３０５の端部に突条部２０７に対応する同一形状の突条部３０７が形成され、これら突条部２０７、３０７が噛み合うことにより、前進及び後進の運動をせずに、スクリューレバー３００が回転できるようにする。
【００６８】
スクリューレバー３００は、その内側にネジ山３０２が形成され、これが後述するピストン４００に形成されているネジ山と噛み合い、回転運動によってピストンを前進又は後進させる。
【００６９】
また、スクリューレバー３００は、他方の端部（ピストン４００が挿入されない端部）に通気孔３０６が形成されているので、スクリューレバー３００の内部の空間においてピストンの移動に伴って空気が出入する通気口の役割を果たす。
【００７０】
スクリューレバー３００はその外表面に長さ方向に延伸する溝が形成されているので、手によってスクリューレバー３００を回転する際に、手との摩擦力を増大させてより効率的な回転できるようにする。
【００７１】
図２に示すように、ピストン４００はスクリューレバー３００の内部に収容され、ピストン４００の一端には、スクリューレバー３００のネジ山３０２と噛み合う形状を持つネジ山４０２が形成されている。
【００７２】
また、ピストン４００の他端には、連結部２４４の内部に収容されるように、連結部２４４の内径に相当する外径を持つ内容物移動部４０９が設けられており、これらの間に付着された凹凸を有するＯリング４０７がタンク部２４３の内壁に密着した状態で前進移動しながらタンク部２４３の内壁のゲル状の残余内容物をすべて吐出させる。
【００７３】
内容物移動部４０９は断面が十字形の中実棒で、連結部２４４に形成された溝と噛み合うことにより、内容物移動部４０９（すなわち、ピストン４００）が、スクリューレバー３００の回転の際に、一緒に回転せずに、直線的に移動する。
【００７４】
また、内容物移動部４０９は、連結部２４４の溝との隙間で内容物が移動するようにし、ピストン４００が押し出す内容物を連結部２４４を通じてノズル５００に導く。
【００７５】
ノズル５００の内部には、ノズル延長軸部２４５のネジ山と結合する形状のネジ山が形成されており、ノズル延長軸部２４５との固く結合することによって、ノズル５００とカートリッジ２００との間の水密を維持しながら、連結部２４４から導かれるゲル状の内容物が吐出する。
【００７６】
図６〜図９は、本発明の自動密閉構造を持つワンタッチ式ゲル容器の組立状態（閉状態）における側面図、横断面図、底面図及び縦断面図である。
【００７７】
これらの図に示すように、ピストン４００のネジ山とかみ合っているスクリューレバー３００はカートリッジ孔２４２を通じてカートリッジ２００の内部に挿入されることにより、内容物移動部４０９は連結部２４４の内部に挿入され、スクリューレバー３００とタンク部２４３の突条部３０７、２０７が噛み合う。
【００７８】
カートリッジ２００に内容物が充填された状態で、ピストン４００の端部はスクリューレバー３００の一端、つまり空気循環孔３０６側の端部に接している。
【００７９】
したがって、スクリューレバー３００はカートリッジ２００の内部で軸を中心として回転することができ、ピストン４００はスクリューレバー３００とかみ合っているネジ山によって回転しながら前進移動する。もちろん、ピストン４００は前進してから後進することができるが、内容物をカートリッジから押し出す役割を有するので、ピストン４００が後進して内容物を逆流させる必要はない。
【００８０】
また、ノズル５００はノズル延長軸部２４５と螺合して堅固に固定されている。
【００８１】
また、カートリッジ２００のタンク部２４３と連結部２４４の間に形成されている段差部からスプリング５０、Ｏリング６０、ホルダー７０、リンク８０、及びボール型ドア９０でなる乾燥防止部が順に位置する。
【００８２】
また、内容物を収容するカートリッジ２００は、軸１００の挿入孔１２を通じて、軸１００の内部に収容されている。
【００８３】
この際、ホルダー７０とスプリング５０の間にはＯリング６０が介在し、さらに、軸のノズル孔１１とボール型ドア９０の間にはゴムパッキングが介在することで、これらの各要素の間の水密性を向上させている。
【００８４】
また、カートリッジ２００の係止突起２０１は第２固定孔１０４に拘束されており、ガイド突起２０２はガイド孔１０５内を移動可能に拘束されている。
【００８５】
これにより、軸１００の回転レバー孔１０１はカートリッジ２００の回転レバー孔２０３とずれた位置に位置し、回転レバー孔１０１を通じてスクリューレバー３００の側面の一部が露出される。
【００８６】
この状態で、図１０〜図１３に示す開状態になるように、スクリューレバー３００の後側端部を手で押せば、係止突起２０１が内部に曲がりながら第２固定孔１０４から離脱し、スクリューレバー３００と一体的に噛み合っているピストン４００及びカートリッジ２００がノズル方向に前進しながらスプリング５０を収縮させる。
【００８７】
スクリューレバー３００が前進するにつれて、ガイド突起２０２が拘束されているガイド孔１０５に沿ってカートリッジ２００は前進し、カートリッジ２００の係止突起２０１が第１固定孔１０３に拘束されることによって前進が停止する。
【００８８】
これにより、カートリッジ２００の係止突起２０１が第２固定孔１０４から離脱して第１固定孔１０３に拘束されるまで、乾燥防止部が開動作を行うことにより、ボール型ドア９０は９０度回転し、ボール型ドア９０によって閉じられていた軸１００のノズル孔１１が開放され、カートリッジ２００の前進によって開放されたノズル孔１１からノズル５００が突出する。
【００８９】
同時に、カートリッジ２００の前進によって軸１００の回転レバー孔１０１とカートリッジ２００の回転レバー孔２０３が互いに一致するように位置し、スクリューレバー３００の側面の露出面積が最大になる。
【００９０】
このような状態で、突出したノズル５００から内容物を吐き出すために、スクリューレバー３００を回転させれば、ピストン４００とスクリューレバー３００との螺合によって、ピストン４００がスクリューレバー３００の内側ネジ山に沿って前進する。ピストン４００の前進によりカートリッジ２００のタンク部２４３に充填されている内容物が押し出され、内容物移動部４０９及び連結部２４４を通じてノズル５００から吐出される。
【００９１】
内容物を所要量だけ吐き出した後、さらにノズルを軸１００の内部に没入させるために、軸１００のリターンスイッチ１０２を押せば、リターンスイッチ１０２の押圧力を受けたカートリッジ２００の係止突起２０１がさらに内側で曲がりながら第１固定孔１０３を離脱し、これにより収縮状態のスプリング５０の復元力によってカートリッジ２００、ピストン４００、及びスクリューレバー３００が一体的に後進する。
【００９２】
これにより、カートリッジ２００の係止突起２０１が第１固定孔１０３から離脱して第２固定孔１０４に再び拘束されるまで乾燥防止部が閉動作を行うことにより、ボール型ドア９０は９０度回転し、軸１００のノズル孔１１がボール型ドア９０によって閉じられる。そして、カートリッジ２００との後進によって閉じられたノズル孔の内部にノズル５００が没入する。
【産業上の利用可能性】
【００９３】
本発明は、ピストン装置によってカートリッジから押し出される液状のゲルが吐出口のシャッターが開状態にだけ吐き出されるようにする自動密閉構造を持つワンタッチ式ゲル容器に適用可能である。
【符号の説明】
【００９４】
５０    スプリング
６０    Ｏリング
７０    ホルダー
８０    リンク
９０    ボール型ドア
１００    軸
１０１    回転レバー孔
１０２    リターンスイッチ
１０３    第１固定孔
１０４    第２固定孔
１０５    ガイド孔
２００    カートリッジ
２０１    係止突起
２０２    ガイド突起
２０３    回転レバー孔
２０４    テンション溝
２０７    突条部
３００    スクリューレバー
３０５    ピストン挿入部
３０６    通気孔
３０７    突条部
４００    ピストン
４０２    ネジ山
４０７    Ｏリング
４０９    内容物移動部
【図１】
0005229708.tif 000002
【図２】
0005229708.tif 000003
【図３】
0005229708.tif 000004
【図４】
0005229708.tif 000005
【図５】
0005229708.tif 000006
【図６】
0005229708.tif 000007
【図７】
0005229708.tif 000008
【図８】
0005229708.tif 000009
【図９】
0005229708.tif 000010
【図１０】
0005229708.tif 000011
【図１１】
0005229708.tif 000012
【図１２】
0005229708.tif 000013
【図１３】
0005229708.tif 000014